(57)【特許請求の範囲】
【請求項１】
ベースシートと粘着層を有するクリーニングシートをその粘着層が内側となるように巻回した供給ローラと使用済みクリーニングシートを巻き取る巻取りローラとをそれぞれ回動自在に並列に収容し、
前記供給ローラと巻取りローラ間に張架されたクリーニングシートの粘着面側を開口するシート引き出し開口部を備え、
前記クリーニングシートの両端が前記供給ローラ及び巻取りローラに固着した状態で前記クリーニングシートを前記シート引き出し開口部から引き出すために、一端の摘み部を前記シート引き出し開口部に位置させ他端部を前記供給ローラに巻回されたクリーニングシートの粘着層に分離可能に張り付けられたシート引き出し部材をクリーニングシートと共に収容し、
このシート引き出し部材を引き出すことにより、クリーニングシートを前記シート引き出し開口部より飛び出させることを特徴とするクリーニングシート収容カセット。
【請求項２】
ベースシートと粘着層を有するクリーニングシートをその粘着層が内側となるように巻回した供給ローラと、使用済みクリーニングシートを巻き取る巻取りローラとをそれぞれ回動自在にして並列収容し、
前記供給ローラと巻取りローラ間に張架されたクリーニングシートの粘着面側を開口するシート引き出し開口部を備え、
前記クリーニングシートの両端が前記供給ローラ及び巻取りローラに固着した状態で前記クリーニングシートを前記シート引き出し開口部から引き出すために、一端の摘み部を前記シート引き出し開口部に位置させ他方部を前記供給ローラに巻回されたクリーニングシートの粘着層に分離可能に張り付けられたシート引き出し部材をクリーニングシートと共に収容するクリーニングシート収容カセットを着脱自在に装着可能とするカセット支持部と、
前記カセット支持部に装着されたクリーニングシート収容カセットの巻取りローラの軸穴に挿入する巻取り軸と、
カセット支持部に装着されたクリーニングシート収容カセットのシート引き出し開口部と前記シート引き出し部材によって前記シート引き出し開口部から引き出されたクリーニングシートとの間に位置し、クリーニングシートのベースシート面に接するシート搬送ローラと、
このシート搬送ローラを、記録手段に搬送される記録媒体の記録面に接触するクリーニングローラ近傍に移動させリーニングシート収容カセットのクリーニングシートの粘着層をクリーニングローラ近傍に引き出す搬送ローラ移動手段と、
前記クリーニングローラをクリーニングローラ近傍に移動されたシート搬送ローラに接触するまで移動させるクリーニングローラ移動手段と、
前記シート搬送ローラと巻取り軸を回転させるクリーニングシート搬送手段とを有することを特徴とする記録装置。
【請求項３】
ベースシートと粘着層を有するクリーニングシートをその粘着層が内側となるように巻回した供給ローラと使用済みクリーニングシートを巻き取る巻取りローラとをそれぞれ回動自在にして並列収容し、
前記供給ローラと巻取りローラ間において張架されたクリーニングシートの粘着面側に対して開口するシート引き出し開口部を備え、
前記クリーニングシートの両端が前記供給ローラ及び巻取りローラに固着した状態で前記クリーニングシートを前記シート引き出し開口部から引き出すために、一端の摘み部を前記シート引き出し開口部に位置させ他方部を前記供給ローラに巻回されたクリーニングシートの粘着層に分離可能に張り付けられたシート引き出し部材をクリーニングシートと共に収容するクリーニングシート収容カセットを着脱自在に装着可能とするカセット支持部と、
カセット支持部に装着されたクリーニングシート収容カセットの巻取りローラの軸穴に挿入する巻取り軸と、
カセット支持部に装着されたクリーニングシート収容カセットのシート引き出し開口部と前記シート引き出し部材によって前記シート引き出し開口部から引き出されたクリーニングシートとの間に位置し、クリーニングシートのベースシート面に接するシート搬送ローラと、
このシート搬送ローラを、記録手段に搬送される記録媒体の記録面に接触するクリーニングローラ近傍の第１位置またはクリーニングローラに接する第２位置に移動させ前記クリーニングシートをクリーニングシート収容カセットから引き出す搬送ローラ移動手段と、
前記シート搬送ローラと巻取り軸を回転させるクリーニングシート搬送手段とを有することを特徴とする記録装置。
【請求項４】
前記クリーニング収容カセットは厚紙を打ち抜いて作成した型紙を組み立てた箱状に形成されているものであることを特徴とする請求項１に記載のクリーニング収容カセット。
【請求項５】
前記クリーニング収容カセットは、記録装置に対して着脱自在に装着可能であり、前記記録装置の収容カセット支持部材と係合することで記録装置に対する前記クリーニング収容カセットの位置決めとなる位置決め部が設けられていることを特徴とする請求項４に記載のクリーニング収容カセット。
【発明の詳細な説明】
【０００１】
【発明の属する技術分野】
本発明は、磁気記録装置やプリンタ等の記録媒体の記録面に付着したゴミを除去するクリーニングローラ備えた記憶装置において、このクリーニングローラを清掃するクリーニングシートを収容するクリーニングシート収容カセットおよびこのクリーニングシート収容カセットを使用する記憶装置に関する。
【０００２】
【従来の技術】
従来、カードプリンタ等のプラスチックプレート用プリンタのような硬質の印刷媒体に印刷を行うプリンタでは、印字媒体の印字面のゴミを除去するため粘着性を有するクリーニングローラを備えるものが知られていた。このクリーニングローラはプリンタを使用する毎にゴミが付着し粘着性が落ちるため、粘着シート等で定期的にその表面を清掃しなければならなかった。このようなクリーニングローラを粘着シートで清掃するものとして公開特許公報平１−１３６７４８号や公表特許公報平４−５００９３９号に記載されるものが知られていた。
【０００３】
【発明が解決しようとする課題】
上記技術においてクリーニングローラの粘着性を維持するためには頻繁にその清掃を行うことが望ましく、特にプラスチックプレートのような静電気の影響でゴミが付着しやすい媒体を印刷する場合はその傾向が強くなり粘着シートの消費も多くなっていた。依って使用済み粘着シートを新規シートに交換する回数が多くなっていった。しかしながらこの粘着シートの交換を容易に行うことは考慮されてなかった。特に粘着シートはクリーニングローラより粘着性が高いのでその取扱は非常に注意が必要で煩わしいものものになっていた。
【０００４】
本発明の目的とするところは、粘着性を有するクリーニングシートの交換を用にするためのクリーニングシート収容カセットと、このクリーニングシート収容カセットを使用するプリンタを提供することにある。
【０００５】
【課題を解決するための手段】
本発明のクリーニングシート収容カセットは、ベースシートと粘着層を有するクリーニングシートをその粘着層が内側となるように巻回した供給ローラと使用済みクリーニングシートを巻き取る巻取りローラとをそれぞれ回動自在に並列に収容し、前記供給ローラと巻取りローラ間に張架されたクリーニングシートの粘着面側を開口するシート引き出し開口部を備え、前記クリーニングシートの両端が前記供給ローラ及び巻取りローラに固着した状態で前記クリーニングシートを前記シート引き出し開口部から引き出すために、一端の摘み部を前記シート引き出し開口部に位置させ他端部を前記供給ローラに巻回されたクリーニングシートの粘着層に分離可能に張り付けられたシート引き出し部材をクリーニングシートと共に収容し、このシート引き出し部材を引き出すことにより、クリーニングシートを前記シート引き出し開口部より飛び出させることを特徴とする。
【０００６】
本発明の記憶装置は、少なくともベースシートと粘着層からなるクリーニングシートをその粘着層が内側となるように巻回した供給ローラと使用済みクリーニングシートを巻き取る巻取りローラとをそれぞれ回動自在にして並列収容し、前記供給ローラと巻取りローラ間に張架されたクリーニングシートの粘着面側に対して開口するシート引き出し開口部を備える。前記クリーニングシートの両端が前記供給ローラ及び巻取りローラに固着した状態で前記クリーニングシートを前記シート引き出し開口部から引き出すために、一方の摘み部をシート引き出し開口部に位置させ他方の引き出し部を前記供給ローラに巻回されたクリーニングシートの粘着層に分離可能に張り付けられたシート引き出し部材をクリーニングシートと共に収容するクリーニングシート収容カセットを着脱自在に装着可能とするカセット支持部と、カセット支持部に装着されたクリーニングシート収容カセットの巻取りローラの軸穴に挿入する巻取り軸と、カセット支持部に装着されたクリーニングシート収容カセットのシート引き出し開口部と前記シート引き出し部材によって前記引き出し開口部から引き出されたクリーニングシートとの間に位置し、クリーニングシートのベースシート面に接するシート搬送ローラと、このシート搬送ローラを、記録手段に搬送される記録媒体の記録面に接触するクリーニングローラ近傍に移動させリーニングシート収容カセットのクリーニングシートの粘着層をクリーニングローラ近傍に引き出す搬送ローラ移動手段と、前記クリーニングローラをクリーニングローラ近傍に移動されたシート搬送ローラに接触するまで移動させるクリーニングローラ移動手段と、前記シート搬送ローラと巻取り軸を回転させるクリーニングシート搬送手段とを有することを特徴とする。
【０００７】
本発明の記憶装置は、ベースシートと粘着層からなるクリーニグシートをその粘着層が内側となるように巻回した供給ローラと使用済みクリーニングシートを巻き取る巻取りローラとをそれぞれ回動自在にして並列収容し、前記供給ローラと巻取りローラ間において張架されたクリーニングシートの粘着面側に対して開口するシート引き出し開口部を備える。前記クリーニングシートの両端が前記供給ローラ及び巻取りローラに固着した状態で前記クリーニングシートを前記シート引き出し開口部から引き出すために、一方の摘み部をシート引き出し開口部に位置させ他方の引き出し部を前記供給ローラに巻回されたクリーニングシートの粘着層に分離可能に張り付けられたシート引き出し部材をクリーニングシートと共に収容するクリーニングシート収容カセットを着脱自在に装着可能とするカセット支持部と、カセット支持部に装着されたクリーニングシート収容カセットの巻取りローラの軸穴に挿入する巻取り軸と、カセット支持部に装着されたクリーニングシート収容カセットのシート引き出し開口部と前記シート引き出し部材によって前記シート引き出し開口部から引き出されたクリーニングシートとの間に位置し、クリーニングシートのベースシート面に接するシート搬送ローラと、このシート搬送ローラを、記録手段に搬送される記録媒体の記録面に接触するクリーニングローラ近傍の第１位置またはクリーニングローラに接する第２位置に移動させ前記クリーニングシートをクリーニングシート収容カセットから引き出す搬送ローラ移動手段と、前記シート搬送ローラと巻取り軸を回転させるクリーニングシート搬送手段とを有することを特徴とする。
【０００８】
【課題を解決するための手段】
本発明では、クリーニング収容カセットは厚紙を打ち抜いて作成した型紙を組み立てた箱状に形成されているものであることを特徴とする。
【０００９】
【課題を解決するための手段】
本発明では、前記クリーニング収容カセットは、記録装置に対して着脱自在に装着可能であり、前記記録装置の収容カセット支持部材と係合することで記録装置に対する前記クリーニング収容カセットの位置決めとなる位置決め部が設けられていることを特徴とする請求項４に記載のクリーニング収容カセット。
【００１０】
従ってプラスチックプレート用プリンタ２０には印刷前の印刷媒体の印刷面をクリーニングする粘着性を有するシリコンゴム等のクリーニングローラ２１と、このクリーニングローラ２１の粘着性を維持するためその表面に付着したゴミを定期的に除去するクリーニングローラのクリーニング手段２２が設けられている。
【００１１】
クリーニング手段２２は、プリンタ対して着脱自在な且つクリーニングシートＣを引き出し可能に収容する収容カセット１と、この収容カセット１をプリンタ本体２０に装着支持するカセット支持部材２３と、装着された収納カセット１のクリーニングシートＣをクリーニングローラ２１に向けて搬送するクリーニングシート搬送ローラ２４と、後述する収容カセット１内のシート供給ローラ４０およびシート巻取ローラ４１の軸穴にそれぞれ係合するシート供給軸２５およびシート巻取軸２６が設けられている。
【００１２】
クリーニングローラ２１はプリンタ本体１に対して揺動自在に設けられた揺動杆２７に回動自在に設けられており、この揺動杆２７はモータ及び歯車等の図示しない駆動手段によって揺動され、クリーニングローラ２１を上下方向に移動させている。尚、クリーニングローラのクリーニング処理中は図４に示すようにクリーニングローラ２１をクリーニングシート搬送ローラ２４に接触させるべく上方に移動させるようになっている。
【００１３】
前記クリーニングシート搬送ローラ２４はシート巻取軸２６と同軸に回動自在に取り付けられた揺動杆５０の端部に回動自在に備えられており、この揺動杆５０は図示しないモータや歯車やカムなど駆動手段によって揺動することで、クリーニングシート搬送ローラ２４を収容カセット１の開口部１ａに近接する位置からクリーニングローラ２１に近接する位置まで移動させる。尚、印刷待機中および印刷処理中は図１に示すクリーニングローラ２１近傍に位置し、収容カセットの交換時は図４に示す収容カセット１の開口部１ａ近傍に位置する。このクリーニングシート搬送ローラ２４の移動処理は操作パネル６０より収容カセット交換処理の入力がされるときに行われるが、専用の作動レバーを設け手動操作によって歯車やリンク等を介して行えるようにしても良い。また、前記巻取り軸２５とクリーニングシート搬送ローラは不図示の歯車列によって連結されており、前記揺動杆５０の駆動手段とは別の不図示の駆動手段によって回転駆動される。
【００１４】
前記クリーニングローラ２１に対向する搬送ローラ２８と、その図中左側に位置するプラテンローラ２９およびもう一方の搬送ローラ３０はプラスチックプレートＰなどの印刷媒体を図中左方向に搬送するもので、図示しない駆動手段により回転駆動されている。尚、上流の搬送ローラ２８には前記クリーニングローラ２１が対に、下流の搬送ローラ３０にはピンチローラ３１が対となり印刷媒体を押し挟むようになっている。
【００１５】
サーマル方式の印刷ヘッド３２は、前記プラテンローラ２９に対向しプラテンローラ２９に接離方向に移動可能に構成されている。印字中はプラテンローラ２９に向けて移動しインクリボン３３を介して印刷媒体Ｐに不図示のパーソナルコンピュータ等の上位機種より転送されてきた印刷データを印刷するものである。
尚、３４はインクリボン３３を収容するインクリボンカセットである。
【００１６】
収容カセット１は前記クリーニングローラ２１より粘着性の高い粘着層ＣａとベースシートＣｂの二層構造のインクシートＣを収容するもので、図２及び図６よりその収容カセット１は１枚の厚紙を打ち抜いて作成した型紙を組み立てたもので、その形状は、矩形の平面底部２より折り曲げられた各第１側面部３、第２側面部４、第３側面部５および第４側面部６によって箱状に形成されている。
【００１７】
第１側面部３と第３側面部５は平面部２を間に対向して設けられており、その外装部にはプリンタ本体２０のカセット支持部材２３と係合することでプリンタ装着の位置決めとなる位置決め穴１１，１２がそれぞれ設けられている（図６参照）。また第２側面部４と第４側面部６は平面部２を間に対向して設けられており、第２側面部４に設けられた２つの軸穴（不図示）と第４側面部６に設けられた軸穴９、１０にクリーニングシートＣが巻回された供給ローラ２５と使用済みのクリーニングシートＣを巻き取る巻取りローラ２６が備えられている。
【００１８】
図２に示す使用前の収容カセット１には、クリーニングシートＣを収容カセット１から引き出すための引き出し片４２がその一片を供給ローラ４０にクリーニングシートＣと共に巻回され収容されている。この引き出し片４２のつまみ４２ａを持って引っ張ると引き出し片４２に張り付いているクリーニングシートＣが引き出され、図６に示すように、プリンタ本体のクリーニングシート搬送ローラ２４に差し込む分だけクリーニングシートＣがその粘着層Ｃａを外側にして開口部１ａから飛び出すようになる。
【００１９】
プリンタ本体２０のカセット支持部材２３は図３に示すように一対の支持板２３ａ、２３ｂより構成され、プリンタ本体において収容カセット１の側面を両方から押し挟むようになっており、そのほぼ先端部には収容カセット１の位置決め穴１１、１２に係合する板バネ凸部２３ｃ、２３ｄが設けられている。
【００２０】
次に収容カセット１のプリンタ本体への取り付けと取り外しを説明する。先ず、収容カセット１のプリンタ本体への取り付けは、収容カセット１の開口部１ａ側をクリーニングシート搬送ローラ２４側に向け、供給ローラ４０の軸穴と巻取りローラ４１の軸穴をそれぞれプリンタ本体２０の供給軸２５と巻取軸２６に対向させると、前述の引き出されたクリーニングシートＣの内側にクリーニングシート搬送ローラ２４の先端が位置するようになるので、そのまま押し込むと、供給ローラ４０の軸穴に供給軸２５が、巻取ローラ４１の軸穴に巻取軸２６が、引き出されたクリーニングシートＣの内側にクリーニングシート搬送ローラ２４がそれぞれ挿入され、更に押し込むと収容カセット１の外装部３ａ、５ａの位置決め穴１１，１２がそれぞれカセット支持部材２３の板バネ凸部２３ｃ、２３ｄと係合しプリンタ本体への取り付けは修了する。図５はこの取り付けた状態を示している。
【００２１】
続いて、操作者が操作パネル６０を操作して収容カセットの交換終了の入力を行うと、図示しない駆動手段によって揺動杆５０が下方に揺動しクリーニングシート搬送ローラ２４はクリーニングローラ２１近傍に移動する。この移動に伴い供給ローラ４０が回転しクリーニングシートＣが引き出される。図１はこの状態を示している。
【００２２】
続いて、使用済みの収容カセット１のプリンタ本体２０からの取外しは、図示しないセンサによってクリーニングシートＣの終了が検出されプリンタ本体２０の操作パネル６０にシート交換の案内が表示されたら、先ず操作者が操作パネル６０を操作して収容カセットの交換の入力を行うと、図示しない駆動手段によって揺動杆５０が上方に揺動し、クリーニングシート搬送ローラ２４はクリーニングローラ２１近傍から収容カセット１の開口部１ａ近傍に移動する。この移動によって本ローラに引き出されていたクリーニングシートＣが弛んだ状態となる。
【００２３】
この状態で収容カセット１を手前側に引っ張ると、カセット支持部材の板バネ凸部２３ｃ、２３ｄが弾性変形し、収容カセットの位置決め穴１１、１２と板バネ凸部２３ｃ、２３ｄの係合状態が若干の抵抗をもって解かれ収容カセット１を引き出すことが出来る。
【００２４】
次に、クリーニングローラ２１のクリーニング処理について説明する。先ずこのプリンタに於けるクリーニング時期は、印刷データの長さより求められる距離が所定値に達すると自動的に実行されており、その距離の入力は操作パネル６０より０．５ｍ、１ｍ、２ｍ、５ｍ、設定無しのいずれかを選択することによって決定される。本プリンタの初期設定値は１ｍなので、３０ｃｍのプレートの印刷が４枚まで実行されると総印刷距離が１，２ｍとなり自動的にクリーニング処理が実行される。
【００２５】
クリーニング処理の実行は、先ずクリーニングローラ２１の揺動杆２７が不図示の駆動手段により上方に向け揺動し、図４に示すとおりクリーニングローラ近傍まで移動されているクリーニングシート搬送ローラ２４と接触する。これによりクリーニングローラ２１とクリーニングシートＣが接触した状態となる。
【００２６】
次に、不図示の駆動手段の駆動により、巻取り軸２６とクリーニングシート駆動ローラ２４が回転すると、クリーニングシート搬送ローラ２４に接するクリーニングローラ２１が回転すると共に収容カセット１の供給ローラ２４から新しいクリーニングシートが引き出されるので、クリーニングローラ２１に付着されているゴミを取り除くことができる。
【００２７】
クリーニング処理はクリーニングローラ２１が１から３回転するまで行われたら巻取り軸２６とクリーニングシート駆動ローラ２４の回転を停止し、揺動杆２７を下方に向け揺動し、図１に示すようにクリーニングローラ２１を印刷可能な位置に戻して終了する。
【００２８】
以上、本実施の形態によれば、プリンタのクリーニングローラに付着したゴミを除去するためのクリーニングシートを収容した収容カセットとこの収容カセットを使用するプリンタを提案するものであり、そのクリーニングシート収容カセットは、クリーニングシートの粘着層に張り付けた引き出し片のつまみを収容カセットの開口部に位置させ、この引き出し片を引っ張るまでは粘着層が開口部に出ない構成としているので、引き出し片を引っ張らない限り粘着層が開口部に位置しないので取扱が楽であり、使用するときに初めて粘着層が開口部に位置するので粘着性の高い状態の粘着層を使用することが出来る。
【００２９】
さらにクリーニングシートの収容カセットを使用するプリンタは、収容カセットの開口部近傍とクリーニングローラ近傍に移動するクリーニングシート駆動ローラを備えており、収容カセットのプリンタへの着脱時にこのクリーニングシート駆動ローラの位置を収容カセットの開口部近傍に位置させれば、収容カセットをその収容部に装着するだけの簡単な操作でクリーニングシートのクリーニングシート駆動ローラへセットが行えるだけでなく、その取り外しも収容カセットを引き出すだけで済むので簡単に行える。
【００３０】
図７は、別の実施の形態におけるプリンタを示しており、このプリンタ７０はクリーニングシート駆動ローラ２４を軸支する揺動杆７１を、収容カセットの開口部１ａ近傍に位置する収容カセット着脱位置と、クリーニングローラ２１近傍に位置する印刷位置と、図７に示すクリーニングローラ２１に接するクリーニング位置の３段階に移動させる構成としたものである。本構成によればクリーニングローラを上方に移動させるための構成を必要としない。
【００３１】
【発明の効果】
以上に述べたように本発明のクリーニングシート収容カセットは、クリーニングシートの粘着層に張り付けたシート引き出し部材の摘み部を収容カセットの開口部に位置させ、このシート引き出し部材を引っ張るまでは粘着層が開口部に出ない構成としているので、シート引き出し部材を引っ張らない限り粘着層が開口部に位置しないので取扱が楽であり、使用するときに初めて粘着層が開口部に位置するので粘着性の高い状態の粘着層を使用することが出来る。
【００３２】
本発明のクリーニングシート収容カセットを使用する記録装置は、収容カセットの開口部近傍とクリーニングローラ近傍に移動するクリーニングシート駆動ローラを備え、収容カセット交換時は収容カセットの開口部近傍に位置するので収容カセットの着脱が容易に行えると共に記録中はクリーニングローラ近傍に位置するので、クリーニングローラ或るいはクリーニングシート駆動ローラの一方を相互に少し移動するだけでクリーニング処理が行える。
【図面の簡単な説明】
【図１】クリーニングシート収容カセットを装着したプラスチックプレート用プリンタの正面図。
【図２】使用前のクリーニングシート収容カセットの側面図。
【図３】収容カセットを装着支持するカセット支持部材の拡大図。
【図４】クリーニング処理中のプラスチックプレート用プリンタの正面図。
【図５】収容カセット交換時のプラスチックプレート用プリンタの正面図
【図６】クリーニングシート収容カセットの斜視図。
【図７】別の実施の形態におけるプラスチックプレート用プリンタの正面図。
【符合の説明】
１  クリーニングシートの収容カセット
２  平面部
３  第１側面部
４  第２側面部
５  第３側面部
６  第４側面部
１１  位置決め穴
１２  位置決め穴
２０  プラスチックプレート用プリンタ
２１  クリーニングローラ
２２  クリーニングローラクリーニング手段
２３  カセット支持部材
２４  クリーニングシート搬送ローラ
２５  シート供給軸
２６  シート巻取軸
２７  揺動杆
２９  プラテンローラ
３２  サーマル方式の印刷ヘッド
３４  インクリボンカセット
４０  供給ローラ
４１  巻取ローラ
４２  引き出し片
５０  揺動杆
【図１】
0004574002.tif 000002
【図２】
0004574002.tif 000003
【図３】
0004574002.tif 000004
【図４】
0004574002.tif 000005
【図５】
0004574002.tif 000006
【図６】
0004574002.tif 000007
【図７】
0004574002.tif 000008